(57)【要約】【課題】ユーザがダビングを行う可能性の高いコンテンツに限ってあらかじめダビング先機器で番組の録画をしておくことにより、使用する記録容量を抑えた、利便性の高いダビングを実現するコンテンツ記録装置を提供する。【解決手段】ダビング先となるコンテンツ記録装置は、コンテンツを受信するコンテンツ受信手段と、ダビング元機器から録画予約情報を取得する予約情報取得手段と、該録画予約情報が定期的に録画することが想定される情報であるか否かを判定する録画予約情報判定手段と、自機器に対して録画予約を設定する録画予約設定手段を備え、予約情報取得手段は、ダビング元機器からコンテンツαを受信するとコンテンツαに対応する録画予約情報αを取得し、録画予約設定手段は、録画予約情報αが定期的に録画することが想定される情報であると判定された場合には、録画予約情報αに示された内容で録画予約を設定する。【選択図】図５
2010258652.tif 000002
【特許請求の範囲】
【請求項１】
ネットワークで接続された録画機能を備えるＡＶ（Ａｕｄｉｏ  ａｎｄ  Ｖｉｓｕａｌ）機器から、前記ネットワークを介して送信されたコンテンツを受信して記録を行うコンテンツ記録装置であって、
前記ＡＶ機器から送信されたコンテンツを受信するコンテンツ受信手段と、
前記ＡＶ機器から前記ＡＶ機器における録画予約の情報（録画予約情報）を取得する予約情報取得手段と、
前記録画予約情報が定期的に録画することが想定される情報であるか否かを判定する録画予約情報判定手段と、
自装置の録画予約を設定する録画予約設定手段を備え、
前記予約情報取得手段は、前記コンテンツ受信手段において前記ＡＶ機器からコンテンツαを受信すると、受信した前記コンテンツαに対応する録画予約情報αを前記ＡＶ機器から取得し、
前記録画予約設定手段は、前記予約情報取得手段において取得した前記録画予約情報αが、前記録画予約情報判定手段において定期的に録画することが想定される情報であると判定された場合には、前記録画予約情報αに示された内容で録画予約を設定することを特徴とするコンテンツ記録装置。
【請求項２】
前記コンテンツ受信手段が受信したコンテンツを再生する再生手段をさらに備え、
前記録画予約設定手段は、前記録画予約情報αが、前記録画予約情報判定手段において定期的に録画することが想定される情報であると判定された場合には、録画形式としては前記再生手段において再生可能な形式を指定し、録画形式以外については前記録画予約情報αに示された内容で録画予約を設定することを特徴とする請求項１記載のコンテンツ記録装置。
【請求項３】
前記コンテンツ受信手段において受信したコンテンツを可搬型記録メディアに記録する記録手段をさらに備え、
前記録画予約設定手段は、前記録画予約情報αが、前記録画予約情報判定手段において定期的に録画することが想定される情報であると判定された場合には、録画形式として前記記録手段において記録可能な形式を指定し、録画形式以外については前記録画予約情報αに示された内容で録画予約を設定することを特徴とする請求項１記載のコンテンツ記録装置。
【請求項４】
ネットワークで接続された録画機能を備えるＡＶ（Ａｕｄｉｏ  ａｎｄ  Ｖｉｓｕａｌ）機器から、前記ネットワークを介して送信されたコンテンツを受信して記録を行うコンテンツ記録装置であって、
前記ＡＶ機器から送信されたコンテンツを受信するコンテンツ受信手段と、
前記ＡＶ機器から前記ＡＶ機器における録画予約の情報（録画予約情報）を取得する予約情報取得手段と、
前記録画予約情報が定期的に録画することが想定される情報であるか否かを判定する録画予約情報判定手段と、
自装置の録画予約を設定する録画予約設定手段と、
前記コンテンツ受信手段において受信したコンテンツを可搬型記録メディアに記録する記録手段を備え、
前記予約情報取得手段は、前記記録手段において前記可搬型記録メディアにコンテンツβを記録すると、記録した前記コンテンツβに対応する録画予約情報βを前記ＡＶ機器から取得し、
前記録画予約設定手段は、前記予約情報取得手段において取得した前記録画予約情報βが、前記録画予約情報判定手段において定期的に録画することが想定される情報であると判定された場合には、前記録画予約情報βに示された内容で録画予約を設定することを特徴とするコンテンツ記録装置。
【請求項５】
前記録画予約設定手段は、前記録画予約情報βが、前記録画予約情報判定手段において定期的に録画することが想定される情報であると判定された場合には、録画形式としては前記記録手段において記録した形式を指定し、録画形式以外については前記録画予約情報βに示された内容で録画予約を設定することを特徴とする請求項４記載のコンテンツ記録装置。
【請求項６】
前記録画予約設定手段は、前記録画予約情報βが、前記録画予約情報判定手段において定期的に録画することが想定される情報であると判定された場合には、録画先メディアとして前記記録手段において記録した前記可搬型記録メディアを指定し、録画先メディア以外については前記録画予約情報βに示された内容で録画予約を設定することを特徴とする請求項４または５記載のコンテンツ記録装置。
【請求項７】
ネットワークで接続された録画機能を備えるＡＶ（Ａｕｄｉｏ  ａｎｄ  Ｖｉｓｕａｌ）機器に対して、前記ネットワークを介して自らが録画したコンテンツの送信を行うコンテンツ記録装置であって、
前記録画したコンテンツを前記ＡＶ機器に対して送信するコンテンツ送信手段と、
自装置における録画予約情報を保持する予約情報保持手段と、
前記録画したコンテンツに対応する前記録画予約情報を前記予約情報保持手段より取得する予約情報取得手段と、
前記録画予約情報が定期的に録画することが想定される情報であるか否かを判定する録画予約情報判定手段と、
前記ＡＶ機器に対して前記ネットワークを介し録画予約を設定する録画予約設定手段を備え、
前記予約情報取得手段は、前記コンテンツ送信手段が前記ＡＶ機器に対してコンテンツγを送信すると、送信した前記コンテンツγに対応する録画予約情報γを前記予約情報保持手段から取得し、
前記録画予約設定手段は、前記予約情報取得手段が取得した前記録画予約情報γが、前記録画予約情報判定手段において定期的に録画することが想定される情報であると判定された場合には、前記録画予約情報γに示された内容で前記ＡＶ機器に対して録画予約を設定することを特徴とするコンテンツ記録装置。
【発明の詳細な説明】
【技術分野】
【０００１】
本発明は、ネットワークで接続された録画機能を備えるＡＶ（Ａｕｄｉｏ  ａｎｄ  Ｖｉｓｕａｌ）機器との間でコンテンツのダビングを行うコンテンツ記録装置に関する。
【背景技術】
【０００２】
近年、ＨＤＤ（Ｈａｒｄ  Ｄｉｓｋ  Ｄｒｉｖｅ）やメモリーカードなどの蓄積媒体の大容量化に伴い、ＡＶ機器に蓄積されるコンテンツが増加してきている。放送番組を録画したコンテンツは、録画した機器で視聴したり、他の機器へダビングして別の場所で視聴したり、さまざまな利用の仕方や楽しみ方がある。
【０００３】
ダビングの使い方の例としては、例えば、ＨＤＤ内蔵ＳＴＢ（Ｓｅｔ−Ｔｏｐ  Ｂｏｘ）に録画したコンテンツを、ＢＤ（ＢｌｕＲａｙ  Ｄｉｓｃ）のようなメディアに記録して保存するために、メディアへの書き込み機能を有したＨＤＤレコーダへ録画したコンテンツをダビングすることがある。あるいは、録画したコンテンツを持ち出して別の場所で視聴するために、ＨＤＤレコーダから携帯電話へ録画したコンテンツをダビングするといった使い方もある。
【０００４】
ダビング機能における課題としては、コンテンツが高画質や長時間のものである場合や、ダビングの際に再びエンコードをすることが必要になる場合に、ダビングに要する時間が長くなる点が挙げられる。
【０００５】
ダビングにおける課題の１つであるダビングに要する時間を短縮する方法に関しては、
ネットワーク接続された別の機器に対してダビングを行う場合のダビング時間を短縮する方法が、特許文献１および特許文献２に開示されている。
【０００６】
特許文献１および特許文献２に開示されている方法は、ダビング元機器で設定された録画予約と同じ録画予約を、ダビング先機器に対して設定するものである。ダビング先機器においてあらかじめ番組の録画をしておけば、ユーザがコンテンツのダビングを行おうとした時点で、すでにダビング先機器にコンテンツが生成されているため、すなわち録画されているため、ダビング元機器で録画したコンテンツを転送する必要がなくなる。これにより、コンテンツのダビングに要する時間を大幅に短縮することが可能になる。なお、ダビングの操作としては、送信先において録画したコンテンツは、最初の時点ではアクセス不可の状態にしておき、ダビング操作が行われた時点でアクセス可能に変更することによって、ダビングの際に、実際のコンテンツの伝送は行わず、見た目上はダビングが行われたように見せることができる。
【先行技術文献】
【特許文献】
【０００７】
【特許文献１】特開２００５−２４４５７６号公報
【特許文献２】特開２００７−２０８８６２号公報
【発明の概要】
【発明が解決しようとする課題】
【０００８】
しかしながら、特許文献１および特許文献２に開示されているような従来の方法では、ＨＤＤ等の記録媒体の容量を必要以上に消費してしまうという課題があった。例えば、特許文献１および特許文献２に開示された方法においては、ダビング元機器とダビング先機器とで同じ録画予約を設定し、両方の機器で同じコンテンツを記録しておくことになるため、ＨＤＤの容量を通常の２倍消費することになる。また、ダビング先となりうる機器が２台以上ある場合には、その全機器に対して同じ録画予約をあらかじめ設定しておく必要があるため、使用する記録容量も台数分だけ増加することになる。
【０００９】
実際にダビングを行う状況を考えた場合、ダビング元機器において録画されたコンテンツのうち、実際にダビングが行われるコンテンツは、ユーザがお気に入りの番組など、一部のものに限定されることが多い。そのため、すべての録画予約をダビング先機器に設定しておくよりは、ダビングされる可能性の高いコンテンツの録画予約のみを設定しておく方が、より効率的である。
【００１０】
本発明は、以上のような課題に鑑み、また、実用状況を考慮してなされたものであり、ユーザがダビングを行う可能性の高いコンテンツに限って、あらかじめダビング先機器で番組の録画をしておくようにすることにより、使用する記録容量を抑えた利便性の高いダビングを実現するコンテンツ記録装置を提供することを目的とする。
【課題を解決するための手段】
【００１１】
上記目的を達成するために、本願の第１の発明のコンテンツ記録装置は、ネットワークで接続された録画機能を備えるＡＶ（Ａｕｄｉｏ  ａｎｄ  Ｖｉｓｕａｌ）機器から、前記ネットワークを介して送信されたコンテンツを受信して記録を行うコンテンツ記録装置であって、前記ＡＶ機器から送信されたコンテンツを受信するコンテンツ受信手段と、前記ＡＶ機器から前記ＡＶ機器における録画予約の情報（録画予約情報）を取得する予約情報取得手段と、前記録画予約情報が定期的に録画することが想定される情報であるか否かを判定する録画予約情報判定手段と、自装置の録画予約を設定する録画予約設定手段を備え、前記予約情報取得手段は、前記コンテンツ受信手段において前記ＡＶ機器からコンテンツαを受信すると、受信した前記コンテンツαに対応する録画予約情報αを前記ＡＶ機器から取得し、前記録画予約設定手段は、前記予約情報取得手段において取得した前記録画予約情報αが、前記録画予約情報判定手段において定期的に録画することが想定される情報であると判定された場合には、前記録画予約情報αに示された内容で録画予約を設定することを特徴とするものである。
【００１２】
また、本願の第２の発明のコンテンツ記録装置は、本願の第１の発明のコンテンツ記録装置において、前記コンテンツ受信手段が受信したコンテンツを再生する再生手段をさらに備え、前記録画予約設定手段は、前記録画予約情報αが、前記録画予約情報判定手段において定期的に録画することが想定される情報であると判定された場合には、録画形式としては前記再生手段において再生可能な形式を指定し、録画形式以外については前記録画予約情報αに示された内容で録画予約を設定することを特徴とするものである。
【００１３】
また、第３の発明のコンテンツ記録装置は、本願の第１の発明のコンテンツ記録装置において、前記コンテンツ受信手段において受信したコンテンツを可搬型記録メディアに記録する記録手段をさらに備え、前記録画予約設定手段は、前記録画予約情報αが、前記録画予約情報判定手段において定期的に録画することが想定される情報であると判定された場合には、録画形式として前記記録手段において記録可能な形式を指定し、録画形式以外については前記録画予約情報αに示された内容で録画予約を設定することを特徴とするものである。
【００１４】
また、本願の第４の発明のコンテンツ記録装置は、ネットワークで接続された録画機能を備えるＡＶ（Ａｕｄｉｏ  ａｎｄ  Ｖｉｓｕａｌ）機器から、前記ネットワークを介して送信されたコンテンツを受信して記録を行うコンテンツ記録装置であって、前記ＡＶ機器から送信されたコンテンツを受信するコンテンツ受信手段と、前記ＡＶ機器から前記ＡＶ機器における録画予約の情報（録画予約情報）を取得する予約情報取得手段と、前記録画予約情報が定期的に録画することが想定される情報であるか否かを判定する録画予約情報判定手段と、自装置の録画予約を設定する録画予約設定手段と、前記コンテンツ受信手段において受信したコンテンツを可搬型記録メディアに記録する記録手段を備え、前記予約情報取得手段は、前記記録手段において前記可搬型記録メディアにコンテンツβを記録すると、記録した前記コンテンツβに対応する録画予約情報βを前記ＡＶ機器から取得し、前記録画予約設定手段は、前記予約情報取得手段において取得した前記録画予約情報βが、前記録画予約情報判定手段において定期的に録画することが想定される情報であると判定された場合には、前記録画予約情報βに示された内容で録画予約を設定することを特徴とするものである。
【００１５】
また、本願の第５の発明のコンテンツ記録装置は、本願の第４の発明のコンテンツ記録装置において、前記録画予約設定手段は、前記録画予約情報βが、前記録画予約情報判定手段において定期的に録画することが想定される情報であると判定された場合には、録画形式としては前記記録手段において記録した形式を指定し、録画形式以外については前記録画予約情報βに示された内容で録画予約を設定することを特徴とするものである。
【００１６】
また、本願の第６の発明のコンテンツ記録装置は、本願の第４または第５の発明のコンテンツ記録装置において、前記録画予約設定手段は、前記録画予約情報βが、前記録画予約情報判定手段において定期的に録画することが想定される情報であると判定された場合には、録画先メディアとして前記記録手段において記録した前記可搬型記録メディアを指定し、録画先メディア以外については前記録画予約情報βに示された内容で録画予約を設定することを特徴とするものである。
【００１７】
また、本願の第７の発明のコンテンツ記録装置は、ネットワークで接続された録画機能を備えるＡＶ（Ａｕｄｉｏ  ａｎｄ  Ｖｉｓｕａｌ）機器に対して、前記ネットワークを介して自らが録画したコンテンツの送信を行うコンテンツ記録装置であって、前記録画したコンテンツを前記ＡＶ機器に対して送信するコンテンツ送信手段と、自装置における録画予約情報を保持する予約情報保持手段と、前記録画したコンテンツに対応する前記録画予約情報を前記予約情報保持手段より取得する予約情報取得手段と、前記録画予約情報が定期的に録画することが想定される情報であるか否かを判定する録画予約情報判定手段と、前記ＡＶ機器に対して前記ネットワークを介し録画予約を設定する録画予約設定手段を備え、前記予約情報取得手段は、前記コンテンツ送信手段が前記ＡＶ機器に対してコンテンツγを送信すると、送信した前記コンテンツγに対応する録画予約情報γを前記予約情報保持手段から取得し、前記録画予約設定手段は、前記予約情報取得手段が取得した前記録画予約情報γが、前記録画予約情報判定手段において定期的に録画することが想定される情報であると判定された場合には、前記録画予約情報γに示された内容で前記ＡＶ機器に対して録画予約を設定することを特徴とするものである。
【発明の効果】
【００１８】
本発明によれば、ネットワークで接続されたＡＶ機器間でのコンテンツのダビングにおいて、各機器で使用する記録容量を抑制しつつ、高速にダビングを行うことが可能になる。
【図面の簡単な説明】
【００１９】
【図１】本発明の実施の形態１に係るレコーダがネットワークを介してＳＴＢと接続される場合の接続例を示す図
【図２】本発明の実施の形態１に係るレコーダおよびＳＴＢの構成を示すブロック図
【図３】本発明の実施の形態１におけるコンテンツ情報保持手段において扱われるコンテンツ情報の一例を示す図
【図４】本発明の実施の形態１における予約情報保持手段および予約情報取得手段において扱われる予約情報の一例を示す図
【図５】本発明の実施の形態１におけるＳＴＢからレコーダへのダビング処理の流れを示すフローチャート
【図６】本発明の実施の形態２に係るレコーダがネットワークを介してＳＴＢと接続される場合の接続例を示す図
【図７】本発明の実施の形態２におけるレコーダおよびＳＴＢの構成を示すブロック図
【図８】本発明の実施の形態２におけるＳＴＢからレコーダへのダビング処理の流れを示すフローチャート
【図９】本発明の実施の形態３に係るＳＴＢがネットワークを介してレコーダと接続される場合の接続例を示す図
【図１０】本発明の実施の形態３に係るＳＴＢおよびレコーダの構成を示すブロック図
【図１１】本発明の実施の形態３におけるＳＴＢからレコーダへのダビング処理の流れを示すフローチャート
【発明を実施するための形態】
【００２０】
以下に、本発明を実施するための最良の形態について、図面を参照しながら説明する。
【００２１】
（実施の形態１）
まず、図１を用いて、本発明の実施の形態１に係るコンテンツ記録装置に相当するレコーダ３００Ａが、ネットワーク１００を介して本発明の実施の形態１に係る録画機能を備えるＡＶ機器に相当するＳＴＢ２００Ａと接続される場合の接続例について説明する。なお、図１は、本発明の実施の形態１に係るレコーダがネットワークを介してＳＴＢと接続される場合の接続例を示す図である。
【００２２】
図１において、レコーダ３００Ａは、ネットワーク１００を介してＳＴＢ２００Ａと接続されている。ここで、ＳＴＢ２００Ａは、放送番組を記録することのできるセットトップボックスであり、レコーダ３００Ａは、ＨＤＤ等の記録メディアに対してコンテンツの記録を行うとともに、再生・視聴を行うことができるＨＤＤレコーダなどである。
【００２３】
ＳＴＢ２００Ａに記録されたコンテンツを、レコーダ３００Ａで視聴する場合、ネットワーク１００を介してコンテンツのダビングを行う。ダビングは、ＳＴＢ２００Ａに記録されたコンテンツを、ネットワーク１００を介してレコーダ３００Ａに送信し、レコーダ３００Ａが受信したコンテンツを記録することによって行われる。コピー回数に制限のあるコンテンツであれば、ＳＴＢ２００Ａでは、ダビング完了後にダビングしたコンテンツを削除する等の処理が一般的に行われる。
【００２４】
次に、図２を用いて、本発明の実施の形態１に係るレコーダ３００ＡおよびＳＴＢ２００Ａの構成について説明する。なお、図２は、本発明の実施の形態１に係るレコーダおよびＳＴＢの構成を示すブロック図である。
【００２５】
図２において、ＳＴＢ２００Ａは、通信手段２０１、コンテンツ送信手段２０２、コンテンツ読み出し手段２０３、記録媒体２０４、ダビング制御手段２０５、予約情報通知手段２０６および予約情報保持手段２０７を備えた、一般的なセットトップボックスである。
【００２６】
記録媒体２０４はＨＤＤ等の蓄積メディアであり、記録媒体２０４には放送番組（コンテンツ）が記録手段（図示せず）により記録される。記録媒体２０４に記録されたコンテンツをレコーダ３００Ａにダビングする場合、コンテンツ読み出し手段２０３により記録媒体２０４からダビングするコンテンツを読み出し、コンテンツ送信手段２０２、通信手段２０１およびネットワーク１００を介して、レコーダ３００Ａに対してコンテンツを送信する。このようなダビング処理の制御は、ダビング制御手段２０５において行う。
【００２７】
ＳＴＢ２００Ａにおいてセットされている録画予約の情報は、予約情報保持手段２０７において保持されている。ネットワーク１００で接続されたレコーダ３００Ａなどの他の機器から録画予約情報の取得を要求された場合、予約情報通知手段２０６が予約情報保持手段２０７から予約情報を読み出し、通信手段２０１を介して相手機器に対して予約情報を通知する。
【００２８】
一方、レコーダ３００Ａは、通信手段３０１、コンテンツ受信手段３０２、コンテンツ情報保持手段３０３、コンテンツ記録手段３０４、内部記録媒体３０５、ダビング制御手段３０７、予約情報取得手段３０８、録画予約設定手段３０９、チューナ手段３１０、復調手段３１１および再生手段３１２を備えている。
【００２９】
内部記録媒体３０５は、ＨＤＤや半導体メモリ等の蓄積メディアであり、放送番組（コンテンツ）と、ダビング操作によってネットワーク１００を介して他の機器から受信したコンテンツを記録する。
【００３０】
放送番組の録画は、録画予約設定手段３０９が、内部に設定された録画予約情報に基づいて、チャンネル選局、録画先メディア選択等を行い、チューナ手段３１０および復調手段３１１により放送波を受信・復調した後、コンテンツ記録手段３０４において記録媒体へ記録することによって行う。
【００３１】
ネットワーク１００を介して受信したコンテンツの記録、すなわちダビング処理は、通信手段３０１、コンテンツ受信手段３０２を介して受信したコンテンツを、コンテンツ記録手段３０４により内部記録媒体３０５へ記録することによって行う。このようなダビング処理の制御は、ダビング制御手段３０７において行う。また、内部記録媒体３０５に記録されているコンテンツに関する情報は、コンテンツ情報保持手段３０３において保持される。
【００３２】
ここで、図３を用いて、コンテンツ情報保持手段３０３において扱われるコンテンツ情報の一例について説明する。なお、図３は、本発明の実施の形態１におけるコンテンツ情報保持手段において扱われるコンテンツ情報の一例を示す図である。
【００３３】
図３に示すように、各々のコンテンツ情報１、２、・・・ｎ（ｎは整数）は、保持している各々のコンテンツのタイトル、録画日時、録画時間、チャンネル、録画モード、サイズおよび予約ＩＤの情報と、それぞれのコンテンツを一意に特定するためのコンテンツＩＤの情報を含んでいる。なお、予約ＩＤとは、特定のコンテンツを生成（録画）するために設定された録画予約を特定するためのＩＤを示す。つまり、予約ＩＤに対応する録画予約が実行された結果、特定のコンテンツが生成（録画）されることになる。
【００３４】
図２に戻り、予約情報取得手段３０８は、ネットワーク１００を介して他の機器から録画予約情報を取得する。他の機器がＳＴＢ２００Ａの場合、録画予約情報は予約情報保持手段２０７において保持されているので、レコーダ３００Ａの予約情報取得手段３０８は、予約情報通知手段２０６および通信手段２０１を介して、予約情報保持手段２０７が保持している予約情報を取得する。
【００３５】
ここで、図４を用いて、ＳＴＢ２００Ａの予約情報保持手段２０７およびレコーダ３００Ａの予約情報取得手段３０８において扱われる予約情報の一例について説明する。なお、図４は、本発明の実施の形態１における予約情報保持手段および予約情報取得手段において扱われる予約情報の一例を示す図である。
【００３６】
図４に示すように、各々の予約情報１、２、・・・ｍ（ｍは整数）は、設定している各録画予約のタイトル、録画日時、録画時間、チャンネル、録画モード、予約種別およびコンテンツＩＤの情報と、それぞれの予約を一意に特定するための予約ＩＤの情報を含んでいる。なお、予約種別とは、毎日予約、毎週予約、毎回予約およびシリーズ予約などの予約の種別を示すものとする。また、コンテンツＩＤは、特定の録画予約が実行された結果生成（録画）されるコンテンツのコンテンツＩＤを示す。
【００３７】
次に、図５を用いて、本発明の実施の形態１におけるＳＴＢ２００Ａからレコーダ３００Ａへのダビングの手順について説明する。なお、図５は、本発明の実施の形態１におけるＳＴＢからレコーダへのダビング処理の流れを示すフローチャートである。
【００３８】
図５において、ユーザの選択によってダビングするコンテンツが選択されると、選択されたコンテンツがダビング先機器であるレコーダ３００Ａに記録されているかどうかを判定するために、ダビング元機器であるＳＴＢ２００Ａは、レコーダ３００Ａからコンテンツ情報を取得するため、レコーダ３００Ａに対してコンテンツ情報取得要求を送信する（Ｓ１０１）。
【００３９】
レコーダ３００Ａは、ＳＴＢ２００Ａからのコンテンツ情報取得要求を受信する（Ｓ１０２）と、ＳＴＢ２００Ａに対して、コンテンツ情報保持手段３０３に保持しているコンテンツの情報を応答として送信する（Ｓ１０３）。なお、レコーダ３００ＡがＳＴＢ２００Ａに送信するコンテンツ情報は、図３に示すとおりであり、コンテンツのタイトル等の情報が通知される。
【００４０】
ＳＴＢ２００Ａは、レコーダ３００Ａから取得したコンテンツ情報を基に、ユーザにより選択されたダビングするコンテンツが、レコーダ３００Ａに録画されているか否かを判定する（Ｓ１０５）。ダビングするコンテンツがレコーダ３００Ａに記録されているか否かは、ダビングするコンテンツの録画日時、録画時間およびチャンネルの情報と、ステップＳ１０４においてレコーダ３００Ａから受信した全てのコンテンツの録画日時、録画時間およびチャンネルの情報とを比較し、一致するコンテンツが存在すれば、レコーダ３００Ａにおいて同じコンテンツがすでに録画されているものと判定する。
【００４１】
ステップＳ１０５において、レコーダ３００Ａで同じコンテンツがすでに録画されていると判定された場合（ステップＳ１０５においてＹＥＳの場合）、ダビングしようとするコンテンツはすでにダビング先機器であるレコーダ３００Ａに保持されているため、コンテンツの伝送を行う必要はないので、処理を終了する。
【００４２】
ステップＳ１０５において、レコーダ３００Ａで同じコンテンツが録画されていないと判定された場合（ステップＳ１０５においてＮＯの場合）、ダビングするコンテンツをレコーダ３００Ａに対して伝送する必要があるため、以下の処理を行う。
【００４３】
まず、ＳＴＢ２００Ａからレコーダ３００Ａに対して、ユーザにより選択されたコンテンツに関するコンテンツ情報を送信し（Ｓ１０６）、続いて、選択されたコンテンツのデータを送信する（Ｓ１０８）。レコーダ３００Ａは、ＳＴＢ２００Ａから送信されたコンテンツ情報を受信し（Ｓ１０７）、続いてコンテンツのデータを受信する（Ｓ１０９）。      
【００４４】
レコーダ３００Ａが、受信したコンテンツ情報をコンテンツ情報保持手段３０３に保持するとともに、受信したコンテンツのデータをコンテンツ記録手段３０４により内部記録媒体３０５に記録することによって、ダビング処理が完了する。
【００４５】
なお、必要に応じてＳＴＢ２００Ａはダビングの後処理を行ってもよい。例えば、コンテンツのコピー回数の制限がある場合に、送信したコンテンツをＳＴＢ２００Ａ側で削除する等の処理を行ってもよい。
【００４６】
次に、レコーダ３００Ａは、ＳＴＢ２００Ａが保持している予約情報を取得するために、予約情報取得の要求をＳＴＢ２００Ａに対して送信する（Ｓ１１０）。予約情報の取得は、予約情報取得手段３０８が通信手段３０１を介して行う。
【００４７】
ＳＴＢ２００Ａは、レコーダ３００Ａから予約情報取得要求を受信すると（Ｓ１１１）、予約情報通知手段２０６が、自機器に設定されている予約情報を予約情報保持手段２０７から取得し、レコーダ３００Ａに対して、通信手段３０１を介して予約情報取得応答として送信する（Ｓ１１２）。レコーダ３００Ａは、ＳＴＢ２００Ａから図４に示すような録画予約情報を受信する（Ｓ１１３）。
【００４８】
ステップＳ１１３において予約情報取得応答を受信したレコーダ３００Ａは、ダビング制御手段３０７において、ステップＳ１０７において取得したコンテンツ情報と、ステップＳ１１３において取得した録画予約情報に基づき、ダビングしたコンテンツを生成するために設定された録画予約を特定する（Ｓ１１４）。具体的には、ダビングしたコンテンツのコンテンツ情報に含まれる予約ＩＤを含む予約情報が、ダビングしたコンテンツを生成した録画予約に相当する。
【００４９】
ダビング制御手段３０７は、特許請求の範囲に記載の録画予約情報判定手段の機能を有し、ステップＳ１１４においてダビングしたコンテンツに対応する録画予約を特定すると、その録画が定期的に録画されているものであるか否かを判定する（Ｓ１１５）。具体的には、ステップＳ１１３において取得した予約情報に含まれる予約種別が、毎日予約、毎週予約およびシリーズ予約のように定期的に録画するよう設定されたものであるか、一回のみ録画するよう設定されたものであるかを判定する。
【００５０】
ステップＳ１１５において定期的に録画されているものではなく一回のみ録画されるものであると判定した場合（ステップＳ１１５においてＮＯの場合）、レコーダ３００Ａのダビング制御手段３０７は、ダビング処理を終了する。
【００５１】
一方、ステップＳ１１５において定期的に録画されているものであると判定した場合（ステップＳ１１５においてＹＥＳの場合）、ダビング制御手段３０７は、同じ録画予約を自機器に対して設定するように録画予約設定手段３０９を制御する。なお、ここでは、記録したコンテンツを再生手段３１２において再生することを想定し、再生手段３１２で再生可能な録画モードで録画予約を設定することが望ましい。
【００５２】
ステップＳ１１５において定期的に録画されているものであると判定した場合、レコーダ３００Ａのダビング制御手段３０７は、再生手段３１２から再生可能な録画モードの情報を取得して録画モードを特定し（Ｓ１１６）、ステップＳ１１４で特定した録画予約情報と、ステップＳ１１６で特定した録画モードの情報に基づき、自機器に対して録画予約を設定するように録画予約設定手段３０９を制御する（Ｓ１１７）。
【００５３】
なお、再生可能な録画モードが複数存在する場合には、そのうちの一つをユーザからの設定により選択する、あるいは、複数の再生可能な録画モードの中で最も品位がよいものを選ぶ等の方法により、特定の録画モードを選択するものとする。
【００５４】
以上のように、シリーズ番組等のように定期的に録画が実行されることが予想されるコンテンツに関しては、ＳＴＢ２００Ａからレコーダ３００Ａへ一度ダビングが実行されると、以降同じ内容の放送番組（コンテンツ）の録画予約が、ＳＴＢ２００Ａのみならずレコーダ３００Ａにも設定されるようになり、ＳＴＢ２００Ａとレコーダ３００Ａの機器間でコンテンツのダビングを行う手間を省くことが可能になる。
【００５５】
なお、ステップＳ１１４において録画予約を特定する方法として、ステップＳ１０７で取得したコンテンツ情報の予約ＩＤを使用するものとしたが、コンテンツに対応する録画予約を特定する方法はこれに限るものではなく、例えば、ステップＳ１０７で取得したコンテンツ情報の録画日時、録画時間およびチャンネルの情報と、ステップＳ１１３で取得した予約情報の録画日時、録画時間およびチャンネルの情報とを比較し、これらの情報が一致したことをもって、コンテンツに対応する録画予約を特定するといった方法であってもかまわない。
【００５６】
（実施の形態２）
図６を用いて、本発明の実施の形態２に係るコンテンツ記録装置に相当するレコーダ３００Ｂが、ネットワーク１００を介してＳＴＢ２００Ａと接続される場合の接続例について説明する。なお、図６は、本発明の実施の形態２に係るレコーダがネットワークを介してＳＴＢと接続される場合の接続例を示す図である。
【００５７】
図６において、レコーダ３００Ｂは、ネットワーク１００を介してＳＴＢ２００Ａと接続されている。ここで、ＳＴＢ２００Ａは、放送番組を記録することのできるセットトップボックスであり、レコーダ３００Ｂは、ＢＤやＤＶＤ等の可搬型記録メディアに対してコンテンツの記録を行うことができるＨＤＤレコーダなどである。
【００５８】
次に、図７を用いて、本発明の実施の形態２に係るレコーダ３００ＢおよびＳＴＢ２００Ａの構成について説明する。なお、図７は、本発明の実施の形態２におけるレコーダおよびＳＴＢの構成を示すブロック図である。
【００５９】
ここで、ＳＴＢ２００Ａは、本発明の実施の形態１に示すＳＴＢ２００Ａと同じ構成であるため同じ符号を付し、ここでは説明を省略する。また、レコーダ３００Ｂは、再生手段３１２に替えて外部記録媒体３０６を具備する以外は、本発明の実施の形態１におけるレコーダ３００Ａと構成は同じであるので、レコーダ３００Ａと同じ構成要素については同じ符号を付し、ここでは説明を省略する。
【００６０】
外部記録媒体３０６は、ＢＤやＤＶＤ等の可搬型メディアであり、放送番組（コンテ
ンツ）とダビング操作によってネットワーク１００を介して他の機器から受信したコンテ
ンツを記録する。また、内部記録媒体３０５に記録されたコンテンツをダビングして外部
記録媒体３０６に記録することもできる。
【００６１】
次に、図８を用いて、本発明の実施の形態２におけるＳＴＢ２００Ａからレコーダ３００Ｂへのダビングの手順について説明する。なお、図８は、本発明の実施の形態２におけるＳＴＢからレコーダへのダビング処理の流れを示すフローチャートである。
【００６２】
図８において、まず、レコーダ３００Ｂは、ＳＴＢ２００Ａが保持しているコンテンツの情報を取得してダビングするコンテンツを選択するために、ＳＴＢ２００Ａに対して、コンテンツ情報取得要求を送信する（Ｓ２０１）。コンテンツ情報取得要求は、例えば、ダビング制御手段３０７が、自ら通信手段３０１を介して送信してもよいし、コンテンツ受信手段３０２が送信するように制御しても構わない。
【００６３】
ＳＴＢ２００Ａは、レコーダ３００Ｂからコンテンツ情報取得要求を受信する（Ｓ２０２）と、レコーダ３００Ｂに対し、自機器が保持するコンテンツの情報をコンテンツ情報取得応答として送信する（Ｓ２０３）。ここで、ＳＴＢ２００Ａが送信するコンテンツ情報は図３に示すとおりであり、コンテンツ情報としてコンテンツのタイトル等の情報が通知される。
【００６４】
レコーダ３００Ｂは、ＳＴＢ２００Ａから取得したコンテンツ情報をもとに、ダビングを実行するコンテンツを選択し決定する（Ｓ２０５）。コンテンツの選択は、機器を操作するユーザによる選択等により行われるのが一般的である。レコーダ３００Ｂは、ＳＴＢ２００Ａに対して、ステップＳ２０５でダビングを実行することを決定したコンテンツのコンテンツ取得要求を送信する（Ｓ２０６）。
【００６５】
ＳＴＢ２００Ａは、レコーダ３００Ｂから送信されたコンテンツ取得要求を受信すると（Ｓ２０７）、要求されたコンテンツのデータをレコーダ３００Ｂに対して送信する（Ｓ２０８）。レコーダ３００Ｂは、ＳＴＢ２００Ａから送信されたコンテンツのデータを受信し（Ｓ２０９）、受信したコンテンツのデータを内部記録媒体３０５に記録することによって、ＳＴＢ２００Ａからレコーダ３００Ｂへのコンテンツのダビングが完了する。
【００６６】
なお、必要に応じて、ＳＴＢ２００Ａは、ダビングの後処理を行ってもよい。例えば、コンテンツのコピー回数の制限がある場合に、送信したコンテンツをＳＴＢ２００Ａ側で削除する等の処理を行ってもよい。
【００６７】
次に、レコーダ３００Ｂにおいて、ＳＴＢ２００Ａから取得して内部記録媒体３０５に記録したコンテンツを可搬型メディアに記録するために、内部記録媒体３０５から外部記録媒体３０６へのダビングを行う（Ｓ２１０）。メディアへのダビング開始のトリガは、機器（この場合はレコーダ３００Ｂ）を操作するユーザによって与えられるのが一般的であるが、ＳＴＢ２００Ａからのダビングが完了したことをもって自動的に行うようにしてもよい。
【００６８】
可搬型メディアへのダビングが完了すると、レコーダ３００Ｂの予約情報取得手段３０８は、ＳＴＢ２００Ａが保持している予約情報を取得するために、ＳＴＢ２００Ａに対して予約情報取得要求を送信する（Ｓ２１１）。
【００６９】
ＳＴＢ２００Ａの予約情報通知手段２０６は、レコーダ３００Ｂから送信された予約情報取得要求を受信すると（Ｓ２１２）、自機器に設定されている予約情報を予約情報保持手段２０７から取得し、通信手段２０１を介してレコーダ３００Ｂに対して送信する（Ｓ２１３）。このとき、レコーダ３００Ｂの予約情報取得手段３０８は、ＳＴＢ２００Ａからの予約情報取得応答として、図４に示すような録画予約情報を受信する（Ｓ２１４）。
【００７０】
次に、ステップＳ２０４において取得したコンテンツ情報と、ステップＳ２１４において取得した予約情報に基づき、ダビング制御手段３０７は、ダビングしたコンテンツを生成するために設定された録画予約を特定する（Ｓ２１５）。具体的には、ダビングしたコンテンツのコンテンツ情報に含まれる予約ＩＤを含む予約情報が、ダビングしたコンテンツを生成するための録画予約に相当する。
【００７１】
ダビングしたコンテンツの生成に対応する録画予約を特定すると、ダビング制御手段３０７は、その録画が定期的に録画されているものであるか否かを判定する（Ｓ２１６）。具体的には、予約情報に含まれる予約種別が、毎日予約、毎週予約およびシリーズ予約のように、定期的に録画するように設定されたものであるか、あるいは、一回のみ録画するように設定されたものであるかを判定する。
【００７２】
ステップＳ２１６において、一回のみ録画するように設定されたものであると判定された場合（ステップＳ２１６においてＮＯの場合）は、ダビング処理を終了する。一方、定期的に録画するように設定されたものであると判定された場合（ステップＳ２１６においてＹＥＳの場合）は、レコーダ３００Ｂのダビング制御手段３０７は、ＳＴＢ２００Ａと同じ録画予約を自機器に対して設定するように、録画予約設定手段３０９を制御する。（Ｓ２１７）。
【００７３】
なお、ここでは、以降も外部記録媒体３０６にコンテンツをダビングすることを想定し、ステップＳ２１０でダビングを実行した際に設定された録画モードを指定して、録画予約を設定する。また、録画先のメディアとしては、内部記録媒体３０５を指定することを想定するが、外部記録媒体３０６を指定しても構わない。
【００７４】
以上のように、シリーズ番組等のように定期的に録画が実行されることが想定されるコンテンツに関しては、ＳＴＢ２００Ａからレコーダ３００Ｂへのダビング、および、レコーダ３００Ｂにおける内部記録媒体３０５から外部記録媒体３０６へのダビングが一旦実行されると、以降、ＳＴＢ２００Ａと同じ内容の録画予約がレコーダ３００Ｂにも設定されるようになり、ＳＴＢ２００Ａとレコーダ３００Ｂの機器間でコンテンツのダビングを行う手間を省くことが可能になる。
【００７５】
また、レコーダ３００Ｂにおいて録画予約を設定する際に、可搬型メディアへ書き出すことを想定し、ＳＴＢ２００Ａから受信したコンテンツのダビングを実行し、メディアへの書き込みを行った際に設定した録画モードを指定して録画予約を設定するものとしたが、これにより、メディアへの書き込み時にモードの変換を行う手間を省くだけでなく、場合によっては録画品質を下げることによって、レコーダ３００Ｂ側で使用するＨＤＤの容量を抑制することも可能になる。
【００７６】
なお、ステップＳ２１５において録画予約を特定する方法として、ステップＳ２０４で取得したコンテンツ情報の予約ＩＤを使用するものとしたが、コンテンツに対応する録画予約を特定する方法はこれに限定されるものではなく、例えば、ステップＳ２０４で取得したコンテンツ情報の録画日時、録画時間およびチャンネルの情報と、ステップＳ２１４で取得した録画予約情報の録画日時、録画時間およびチャンネルの情報とを比較し、これらの情報が一致するか否かにより、コンテンツに対応する録画予約を特定するといった方法であってもよい。
【００７７】
（実施の形態３）
図９を用いて、本発明の実施の形態３に係るＳＴＢ２００Ｂが、ネットワーク１００を介してレコーダ３００Ｃと接続される場合の接続例について説明する。なお、図９は、本発明の実施の形態３に係るＳＴＢがネットワークを介してレコーダと接続される場合の接続例を示す図である。
【００７８】
図９において、ＳＴＢ２００Ｂは、ネットワーク１００を介してレコーダ３００Ｃと接続されている。ここで、ＳＴＢ２００Ｂは、放送番組を記録することのできるセットトップボックスであり、レコーダ３００Ｃは、ＢＤやＤＶＤ等の可搬型メディアに対してコンテンツの記録を行うことができるＨＤＤレコーダなどである。
【００７９】
次に、図１０を用いて、本発明の実施の形態３に係るＳＴＢ２００Ｂおよびレコーダ３００Ｃの構成について説明する。なお、図１０は、本発明の実施の形態３に係るＳＴＢおよびレコーダの構成を示すブロック図である。
【００８０】
図１０において、ＳＴＢ２００Ｂは、本発明の実施の形態１および２におけるＳＴＢ２００Ａが具備する構成において、予約情報通知手段２０６に替えて、予約情報取得手段２０８および録画予約設定手段２０９を備えた本発明のコンテンツ記録装置に相当する装置であり、ＳＴＢ２００Ａが具備するブロックと同様のブロックについては同じ符号を付し、ここでは説明を省略する。
【００８１】
予約情報取得手段２０８は、ダビング制御手段２０５からの制御によって、予約情報保持手段２０７において保持されている予約情報を取得し、また、録画予約設定手段２０９は、ダビング制御手段２０５からの制御によって、ネットワーク１００で接続された録画機能を備えるＡＶ機器（ここでは、レコーダ３００Ｃ）に対して録画予約を設定する。
【００８２】
一方、録画機能を備えるＡＶ機器に相当するレコーダ３００Ｃは、ブロック構成上は本発明の実施の形態２におけるレコーダ３００Ｂと同じであり同じ符号を付すが、以下の点がレコーダ３００Ｂとは異なる。すなわち、レコーダ３００Ｃは、一般的なＨＤＤレコーダであり、ダビング制御手段３０７は、予約情報取得手段３０８や録画予約設定手段３０９とは連携しておらず、ダビングの処理と録画予約の処理は各々独立して行われるように構成されている。
【００８３】
次に、図１１を用いて、本発明の実施の形態３におけるＳＴＢ２００Ｂからレコーダ３００Ｃへのダビングの手順について説明する。なお、図１１は、本発明の実施の形態３におけるＳＴＢからレコーダへのダビング処理の流れを示すフローチャートである。
【００８４】
図１１において、まず、機器（ここでは、ＳＴＢ２００Ｂ）を操作するユーザによってダビングするコンテンツが選択されると、コンテンツがダビング先機器であるレコーダ３００Ｃに記録されているか否かを判定するために、ダビング元機器であるＳＴＢ２００Ｂは、レコーダ３００Ｃからコンテンツ情報を取得すべく、レコーダ３００Ｃに対してコンテンツ情報取得要求を送信する（Ｓ３０１）。
【００８５】
レコーダ３００Ｃは、ＳＴＢ２００Ｂからコンテンツ情報取得要求を受信すると（Ｓ３０２）、ＳＴＢ２００Ｂに対し、自機器が保持するコンテンツの情報をコンテンツ情報取得応答として送信する（Ｓ３０３）。ここで、レコーダ３００ＣがＳＴＢ２００Ｂに対して送信するコンテンツ情報は、図３に示すとおりであり、コンテンツのタイトル等の情報が送信される。
【００８６】
ＳＴＢ２００Ｂは、ダビング制御手段２０５において、レコーダ３００Ｃから取得したコンテンツ情報を基に、ダビングしようとするコンテンツが、レコーダ３００Ｃに録画されているか否かを判定する（Ｓ３０５）。
【００８７】
コンテンツがレコーダ３００Ｃに記録されているか否かは、ダビングしようとするコンテンツの録画日時、録画時間およびチャンネルの情報と、ステップＳ３０４において受信した全コンテンツの録画日時、録画時間およびチャンネルの情報とを比較し、一致するコンテンツが存在すれば、レコーダ３００Ｃにおいて同じコンテンツがすでに録画されているものと判定し、一致するコンテンツが存在しなければ、レコーダ３００Ｃにおいて同じコンテンツが録画されていないものと判定する。
【００８８】
ステップＳ３０５において、レコーダ３００Ｃで同じコンテンツがすでに録画されていると判定された場合（ステップＳ３０５においてＹＥＳの場合）、ダビングしようとするコンテンツは、すでにダビング先機器であるレコーダ３００Ｃに保持されているため、コンテンツの伝送を行う必要はないものと判断して、ダビング処理を終了する。
【００８９】
ステップＳ３０５において、レコーダ３００Ｃで同じコンテンツが録画されていないと判定された場合（ステップＳ３０５においてＮＯの場合）、ＳＴＢ２００Ｂは、ユーザによって選択されたコンテンツを、レコーダ３００Ｃに対して送信し、ダビングを行う必要があるため、以下の処理を行う。
【００９０】
まず、ＳＴＢ２００Ｂのコンテンツ送信手段２０２は、レコーダ３００Ｃに対して、コンテンツ読み出し手段２０３が記録媒体２０４から読み出し、ユーザにより選択されたコンテンツに関するコンテンツ情報を送信し（Ｓ３０６）、続いて、ユーザにより選択されたコンテンツのデータを送信する（Ｓ３０８）。
【００９１】
レコーダ３００Ｃは、ＳＴＢ２００Ｂから送信されたコンテンツ情報を受信した（Ｓ３０７）後、コンテンツのデータを受信する（Ｓ３０９）。レコーダ３００Ｃでは、ＳＴＢ２００Ｂから受信したこれらのコンテンツの情報およびデータを、それぞれコンテンツ情報保持手段３０３および記録媒体に記録することによって、コンテンツのダビングが完了する。
【００９２】
なお、ＳＴＢ２００Ｂは、必要に応じて、ダビングの後処理を行ってもよい。例えば、コンテンツのコピー回数の制限がある場合に、送信したコンテンツをＳＴＢ２００Ｂ側で削除する等の処理を行ってもよい。
【００９３】
次に、ＳＴＢ２００Ｂの予約情報取得手段２０８は、自機器が予約情報保持手段２０７において保持している予約情報を取得する（Ｓ３１０）。
【００９４】
ＳＴＢ２００Ｂのダビング制御手段２０５は、ステップＳ３０６においてコンテンツ送信手段２０２からレコーダ３００Ｃに対して送信した、レコーダ３００Ｃにダビングしたコンテンツのコンテンツ情報と、ステップＳ３１０において予約情報取得手段２０８が取得した録画予約情報に基づき、ダビングしたコンテンツを生成するために設定された録画予約を特定する（Ｓ３１１）。具体的には、ダビングしたコンテンツのコンテンツ情報に含まれる予約ＩＤを含む予約情報が、ダビングしたコンテンツを生成する録画予約に相当する。
【００９５】
ＳＴＢ２００Ｂのダビング制御手段２０５は、ダビングしたコンテンツに対応する録画予約を特定すると、その録画が定期的に録画されるものであるか否かを判定する（Ｓ３１２）。具体的には、予約情報に含まれる予約種別が、毎日予約、毎週予約もしくはシリーズ予約のように、定期的に録画するように設定されたものであるか、一回のみ録画するように設定されたものであるかを判定する。
【００９６】
ステップＳ３１２において、一回のみ録画するように設定されたものであると判定した場合（ステップＳ３１２においてＮＯの場合）は、ダビング処理を終了する。
【００９７】
一方、ステップＳ３１２において、定期的に録画するように設定されたものであると判定した場合（ステップＳ３１２においてＹＥＳの場合）は、ＳＴＢ２００Ｂの録画予約設定手段２０９は、同じ録画予約をダビング先機器であるレコーダ３００Ｃに対して設定するため、レコーダ３００Ｃに対して録画予約の要求を送信する（Ｓ３１３）。この場合、録画予約の際に指定するパラメータは、ステップＳ３１１において特定した録画予約と同じ内容で設定する。
【００９８】
ＳＴＢ３００Ｂの録画予約設定手段３０９は、ＳＴＢ２００Ｂの録画予約設定手段２０９から送信された録画予約の要求を、予約情報取得手段３０８を介して受信すると（Ｓ３１４）、指定されたパラメータで自機器に対して録画予約を設定し（Ｓ３１５）、ダビング処理を終了する。
【００９９】
以上のように、シリーズ番組等のように定期的に録画が実行されることが想定されるコンテンツに関しては、ＳＴＢ２００Ｂからレコーダ３００Ｃへ一旦ダビングが実行されると、以降、ＳＴＢ２００Ｂと同じ内容の録画予約がレコーダ３００Ｃにも設定されるようになり、ＳＴＢ２００Ｂとレコーダ３００Ｃの機器間でコンテンツのダビングを行う手間を省くことが可能になる。
【０１００】
なお、ステップＳ３１１における録画予約を特定する方法としては、ステップＳ３０６でレコーダ３００Ｃに対して通知したコンテンツ情報の予約ＩＤを使用するものとしたが、コンテンツに対応する録画予約を特定する方法はこれに限定するものではなく、例えば、ステップＳ３０６でレコーダ３００Ｃに対して通知したコンテンツ情報の録画日時、録画時間およびチャンネルの情報と、ステップＳ３１０で取得した録画予約情報の録画日時、録画時間およびチャンネルの情報とを比較し、これらの情報が一致したことをもって、コンテンツに対応する録画予約を特定するといった方法であってもよい。
【産業上の利用可能性】
【０１０１】
本発明のコンテンツ記録装置は、ネットワークを介してコンテンツのダビングを行うＳＴＢ、ＨＤＤレコーダ、携帯電話およびＰＣ（Ｐｅｒｓｏｎａｌ  Ｃｏｍｐｕｔｅｒ）等において有用である。
【符号の説明】
【０１０２】
１００  ネットワーク
２００Ａ  ＳＴＢ
２００Ｂ  ＳＴＢ
２０１  通信手段
２０２  コンテンツ送信手段
２０３  コンテンツ読み出し手段
２０４  記録媒体
２０５  ダビング制御手段
２０６  予約情報通知手段
２０７  予約情報保持手段
２０８  予約情報取得手段
２０９  録画予約設定手段
３００Ａ  レコーダ
３００Ｂ  レコーダ
３００Ｃ  レコーダ
３０１  通信手段
３０２  コンテンツ受信手段
３０３  コンテンツ情報保持手段
３０４  コンテンツ記録手段
３０５  内部記録媒体
３０６  外部記録媒体
３０７  ダビング制御手段
３０８  予約情報取得手段
３０９  録画予約設定手段
３１０  チューナ手段
３１１  復調手段
【図１】
2010258652.tif 000003
【図２】
2010258652.tif 000004
【図３】
2010258652.tif 000005
【図４】
2010258652.tif 000006
【図５】
2010258652.tif 000007
【図６】
2010258652.tif 000008
【図７】
2010258652.tif 000009
【図８】
2010258652.tif 000010
【図９】
2010258652.tif 000011
【図１０】
2010258652.tif 000012
【図１１】
2010258652.tif 000013